(57)【要約】  【課題】      がたつき防止、コストの低減および軽量化を同時に達成する。  【解決手段】  防振架台１０は、下枠１４と、振動発生機器１６が取り付けられる上枠１８と、下枠１４と上枠１８との間に配置されるバネ部材２０とを備えており、下枠１４および上枠１８は、パイプ状の枠構成材２２，５０をコーナー部材２４，５２で接続することによって構成されている。コーナー部材２４，５２は、一方の枠構成材２２，５０の端部に挿入されるＬ状の第１接続部３８，７０と、他方の枠構成材２２，５０の端部に挿入されるＬ状の第２接続部４０，７２とを有しており、第１接続部３８，７０が一方の枠構成材２２，５０の直交する２つの面に固着され、第２接続部４０，７２が他方の枠構成材２２，５０の直交する２つの面に固着されている。【選択図】      図７
2005127359.tif 000002
【特許請求の範囲】
【請求項１】
基礎に据え付けられる下枠と、振動発生機器が取り付けられる上枠と、前記下枠と前記上枠との間に配置されて前記振動発生機器から前記上枠に伝わった振動を吸収するバネ部材とを備え、前記下枠および前記上枠がパイプ状の枠構成材をコーナー部で接続することによって構成されている、防振架台であって、
前記コーナー部には、一方の前記枠構成材の端部に挿入されるＬ状の第１接続部と、他方の前記枠構成材の端部に挿入されるＬ状の第２接続部とを有するコーナー部材が配置されており、前記第１接続部が一方の前記枠構成材の直交する２つの面に固着されており、前記第２接続部が他方の前記枠構成材の直交する２つの面に固着されている、防振架台。
【請求項２】
前記コーナー部材は、一方の前記枠構成材の端部を閉塞する第１閉塞板と、他方の前記枠構成材の端部を閉塞する第２閉塞板と、前記第１閉塞板と前記第２閉塞板とに直交してこれらを連結する補強板とを有する一体構造の本体部を含み、前記第１閉塞板に前記第１接続部が一体的に設けられており、前記第２閉塞板に前記第２接続部が一体的に設けられている、請求項１に記載の防振架台。
【請求項３】
前記下枠を構成する前記コーナー部材の前記補強板には下側連結ボルト孔が形成されており、前記上枠を構成する前記コーナー部材の前記補強板には上側連結ボルト孔が形成されており、前記下側連結ボルト孔と前記上側連結ボルト孔とに１本の連結ボルトが摺動自在に挿通されている、請求項２に記載の防振架台。
【請求項４】
防振架台の枠を構成するパイプ状の枠構成材をコーナー部で接続するための防振架台用コーナー部材であって、
一方の前記枠構成材の端部に挿入されて前記枠構成材の直交する２つの面に沿わされるＬ状の第１接続部と、他方の前記枠構成材の端部に挿入されて前記枠構成材の直交する２つの面に沿わされるＬ状の第２接続部とを有し、前記第１接続部および前記第２接続部のそれぞれが前記２つの面に固着される、防振架台用コーナー部材。
【請求項５】
一方の前記枠構成材の端部を閉塞する第１閉塞板と、他方の前記枠構成材の端部を閉塞する第２閉塞板と、前記第１閉塞板と前記第２閉塞板とに直交してこれらを連結する補強板とを有する一体構造の本体部を含み、前記第１閉塞板に前記第１接続部が一体的に設けられており、前記第２閉塞板に前記第２接続部が一体的に設けられている、請求項４に記載の防振架台用コーナー部材。
【発明の詳細な説明】
【技術分野】
【０００１】
本発明は、基礎に据え付けられる下枠と、コンプレッサ等のような振動発生機器が取り付けられる上枠と、下枠と上枠との間に配置されたバネ部材とを備える防振架台、および防振架台の枠を構成する枠構成材をコーナー部で接続するための防振架台用コーナー部材に関する。
【背景技術】
【０００２】
この種の従来の防振架台の一例が、特開２００２−３１０４６０号に開示されている（特許文献１）。この防振架台は、基礎に据え付けられる下架台と、振動発生機器が取り付けられる上架台とをバネを介して上下に接合したものであり、下架台は、パイプ状または棒状の４本の枠構成材を溶接することによって構成されており、上架台は、板状部材によって構成されている。
【特許文献１】特開２００２−３１０４６０号
【発明の開示】
【発明が解決しようとする課題】
【０００３】
従来の防振架台（特許文献１）では、上架台が板状部材によって構成されていたので、重量が大きくなるという問題があった。また、下架台を構成するパイプ状または棒状の枠構成材を互いに溶接していたので、コスト高であるという問題があった。
【０００４】
一方、枠構成材を溶接ではなく、ボルト等のような接続具によって接続すれば、コストを低減できるが、枠構成材を接続具によって単純に接続しただけでは、振動発生機器から伝わる振動によって接続具が緩むため、がたつきを生じるおそれがあった。
【０００５】
それゆえに、この発明の主たる目的は、がたつきを生じることなくコストを低減でき、しかも、軽量化を達成できる、防振架台および防振架台用コーナー部材を提供することである。
【課題を解決するための手段】
【０００６】
請求項１に記載した発明は、「基礎１２に据え付けられる下枠１４と、振動発生機器１６が取り付けられる上枠１８と、下枠１４と上枠１８との間に配置されて振動発生機器１６から上枠１８に伝わった振動を吸収するバネ部材２０とを備え、下枠１４および上枠１８がパイプ状の枠構成材２２，５０をコーナー部で接続することによって構成されている、防振架台１０であって、コーナー部には、一方の枠構成材２２，５０の端部に挿入されるＬ状の第１接続部３８，７０と、他方の枠構成材２２，５０の端部に挿入されるＬ状の第２接続部４０，７２とを有するコーナー部材２４，５２が配置されており、第１接続部３８，７０が一方の枠構成材２２，５０の直交する２つの面に固着されており、第２接続部４０，７２が他方の枠構成材２２，５０の直交する２つの面に固着されている、防振架台１０」である。
【０００７】
この発明では、下枠１４および上枠１８がパイプ状の枠構成材２２，５０によって構成されているので、軽量である。また、枠構成材２２，５０どうしをコーナー部材２４，５２で接続するようにしているので、溶接の必要はなく、安価に製造できる。さらに、コーナー部材２４，５２と各枠構成材２２，５０とは、直交する２つの面において接合されているので、十分な接合強度を得ることができる。
【０００８】
請求項２に記載した発明は、請求項１に記載した「防振架台１０」において、「コーナー部材２４，５２は、一方の枠構成材２２，５０の端部を閉塞する第１閉塞板３０，６２と、他方の枠構成材２２，５０の端部を閉塞する第２閉塞板３２，６４と、第１閉塞板３０，６２と第２閉塞板３２，６４とに直交してこれらを連結する補強板３４，６６とを有する一体構造の本体部３６，６８を含み、第１閉塞板３０，６２に第１接続部３８，７０が一体的に設けられており、第２閉塞板３２，６４に第２接続部４０，７２が一体的に設けられている」ことを特徴とする。
【０００９】
この発明では、補強板３４，６６によって補強された本体部３６，６８に対して第１接続部３８，７０および第２接続部４０，７２が一体的に設けられているので、コーナー部材２４，５２の強度を十分に確保できる。
【００１０】
請求項３に記載した発明は、請求項２に記載した「防振架台１０」において、「下枠１４を構成するコーナー部材２４の補強板３４には下側連結ボルト孔４８が形成されており、上枠１８を構成するコーナー部材５２の補強板６６には上側連結ボルト孔７４が形成されており、下側連結ボルト孔４８と上側連結ボルト孔７４とに１本の連結ボルト４６が摺動自在に挿通されている」ことを特徴とする。
【００１１】
この発明では、連結ボルト４６によって下枠１４と上枠１８とが連結されるので、下枠１４と上枠１８との間での大幅な位置ずれは生じない。
【００１２】
請求項４に記載した発明は、「防振架台１０の枠１４，１８を構成するパイプ状の枠構成材２２，５０をコーナー部で接続するための防振架台用コーナー部材２４，５２であって、一方の枠構成材２２，５０の端部に挿入されて枠構成材２２，５０の直交する２つの面に沿わされるＬ状の第１接続部３８，７０と、他方の枠構成材２２，５０の端部に挿入されて枠構成材２２，５０の直交する２つの面に沿わされるＬ状の第２接続部４０，７２とを有し、第１接続部３８，７０および第２接続部４０，７２のそれぞれが２つの面に固着される、防振架台用コーナー部材２４，５２」である。
【００１３】
この発明では、第１接続部３８，７０および第２接続部４０，７２のそれぞれが枠構成材２２，５０の直交する２つの面に固着されるので、十分な接合強度を得ることができる。
【００１４】
請求項５に記載した発明は、請求項４に記載した「防振架台用コーナー部材２４，５２」において、「一方の枠構成材２２，５０の端部を閉塞する第１閉塞板３０，６２と、他方の枠構成材２２，５０の端部を閉塞する第２閉塞板３２，６４と、第１閉塞板３０，６２と第２閉塞板３２，６４とに直交してこれらを連結する補強板３４，６６とを有する一体構造の本体部３６，６８を含み、第１閉塞板３０，６２に第１接続部３８，７０が一体的に設けられており、第２閉塞板３２，６４に第２接続部４０，７２が一体的に設けられている」ことを特徴する。
【００１５】
この発明では、補強板３４，６６によって補強された本体部３６，６８に対して第１接続部３８，７０および第２接続部４０，７２が一体的に設けられているので、十分な強度を確保できる。
【発明の効果】
【００１６】
請求項１〜３に記載した発明によれば、上枠および下枠をパイプ状の枠構成材によって構成しているので、軽量化を達成できる。また、上枠および下枠を構成する枠構成材どうしをコーナー部材で接続するようにしているので、溶接の手間を省くことができ、安価に製造できる。さらに、コーナー部材と各枠構成材とは、直交する２つの面において接合されているので、いずれの方向からの外力に対しても十分な強度を得ることができる。
【００１７】
請求項４および５に記載した発明によれば、第１接続部および第２接続部のそれぞれが枠構成材の直交する２つの面に固着されるので、このコーナー部材を用いて組み立てられた防振架台においては、いずれの方向からの外力に対しても十分な強度を得ることができる。
【発明を実施するための最良の形態】
【００１８】
図１〜図３を参照して、本発明が適用された防振架台１０は、基礎１２に据え付けられる下枠１４と、振動発生機器１６が取り付けられる上枠１８と、下枠１４と上枠１８との間に配置されるバネ部材２０とを備えている。
【００１９】
下枠１４は、４本の枠構成材２２と、枠構成材２２どうしをコーナー部で接合する４個の防振架台用コーナー部材（以下、単に「コーナー部材」という。）２４とによって、平面視略四角形に構成されている。
【００２０】
各枠構成材２２は、断面略四角形のパイプ状部材であり、鉄等のような高剛性材料によって強固に形成されている。そして、各枠構成材２２の端部における直交する２つの側壁には、ネジ２６が挿通される孔２８（図７）が形成されている。
【００２１】
各コーナー部材２４は、図４に示すように、一方の枠構成材２２の端部を閉塞する第１閉塞板３０と、他方の枠構成材２２の端部を閉塞する第２閉塞板３２と、第１閉塞板３０と第２閉塞板３２とに直交してこれらを連結する２枚の補強板３４とを有する一体構造の本体部３６を備えている。そして、第１閉塞板３０に対して、一方の枠構成材２２の端部に挿入される第１接続部３８が一体的に設けられており、第２閉塞板３２に対して、他方の枠構成材２２の端部に挿入される第２接続部４０が一体的に設けられている。
【００２２】
各補強板３４は、第１閉塞板３０および第２閉塞板３２の上下両端部に設けられており、下側の補強板３４が基礎１２に対して固定される「基礎プレート」となり、上側の補強板３４が下枠１４と上枠１８とを連結するための「連結プレート」となる。そして、下側の補強板（基礎プレート）３４の中央部には、基礎ボルト４２（図２）を挿通するための基礎ボルト孔４４が形成されており、上側の補強板（連結プレート）３４の中央部には、連結ボルト４６を挿通するための下側連結ボルト孔４８が形成されている。
【００２３】
第１接続部３８は、一方の枠構成材２２の直交する２つの面に沿わされる２つの接続片３８ａおよび３８ｂを有するＬ状の部材であり、接続片３８ａおよび３８ｂには、枠構成材２２に設けられた孔２８（図７）に対応するネジ孔３８ｃが形成されている。
【００２４】
第２接続部４０は、他方の枠構成材２２の直交する２つの面に沿わされる２つの接続片４０ａおよび４０ｂを有するＬ状の部材であり、接続片４０ａおよび４０ｂには、枠構成材２２に設けられた孔２８（図７）に対応するネジ孔４０ｃが形成されている。
【００２５】
そして、下枠１４を組み立てる際には、図７に示すように、略四角形に配置される枠構成材２２のコーナー部において直交する２本の枠構成材２２がコーナー部材２４によって接合される。つまり、まず、一方の枠構成材２２の端部にコーナー部材２４の第１接続部３８が挿入され、枠構成材２２の直交する２つの面に接続片３８ａおよび３８ｂが沿わされる。そして、枠構成材２２に設けらたれ各孔２８にネジ２６（図２）が挿通され、このネジ２６が接続片３８ａおよび３８ｂに設けられたネジ孔３８ｃに螺合される。また、他方の枠構成材２２の端部にコーナー部材２４の第２接続部４０が挿入され、枠構成材２２の直交する２つの面に接続片４０ａおよび４０ｂが沿わされる。そして、枠構成材２２に設けらたれ各孔２８にネジ２６（図２）が挿通され、このネジ２６が接続片４０ａおよび４０ｂに設けられたネジ孔４０ｃに螺合される。このようにして、全てのコーナー部において、直交する２本の枠構成材２２が互いに接合される。
【００２６】
上枠１８（図１〜図３）は、４本の枠構成材５０と、枠構成材５０どうしをコーナー部で接合する４個のコーナー部材５２とによって、平面視略四角形に構成されている。
【００２７】
各枠構成材５０は、断面略四角形のパイプ状部材であり、鉄等のような高剛性材料によって強固に形成されている。そして、各枠構成材５０の端部における直交する２つの側壁には、ネジ２６が挿通される孔５４（図７）が形成されている。また、対向する２本の枠構成材５０の外側面には、振動発生機器１６を固定するためのＬ状の固定部材５６が固着されており、各固定部材５６には、固定ボルト５８（図２）が挿通されるボルト孔６０（図３）が形成されている。
【００２８】
各コーナー部材５２は、図５に示すように、下枠１４を構成するコーナー部材２４と同様に、一方の枠構成材５０の端部を閉塞する第１閉塞板６２と、他方の枠構成材５０の端部を閉塞する第２閉塞板６４と、第１閉塞板６２と第２閉塞板６４とに直交してこれらを連結する補強板６６とを有する一体構造の本体部６８を含み、第１閉塞板６２に対して第１接続部７０が一体的に設けられており、第２閉塞板６４に対して第２接続部７２が一体的に設けられている。そして、第１接続部７０および第２接続部７２には、孔５４（図７）に対応するネジ孔７０ｃおよび７２ｃが形成されており、補強板（連結プレート）６６の中央部には、連結ボルト４６を挿通するための上側連結ボルト孔７４が形成されている。なお、このコーナー部材５２の基本的構成は、下枠１４を構成するコーナー部材２４と同じであり、唯一の相違は、「基礎プレート」に相当する補強板６６が設けられていない点である。この相違は、上側連結ボルト孔７４に対して連結ボルト４６を上方から挿入する必要があるために生じたものである。
【００２９】
そして、上枠１８を組み立てる際には、図７に示すように、略四角形に配置される枠構成材５０のコーナー部において、直交する２本の枠構成材５０がコーナー部材５２によって接合される。
【００３０】
バネ部材２０は、振動発生機器１６から上枠１８に伝わった振動を吸収するものであり、図６に示すように、下枠１４における枠構成材２２の上部に装着される装着部７６と、上枠１８における枠構成材５０の下部を支持する支持部７８と、下端が装着部７６に固定され、かつ、上端が支持部７８に固定されたコイルバネ８０とによって構成されている。
【００３１】
防振架台１０を組み立てる際には、まず、下枠１４における枠構成材２２の上部にバネ部材２０が装着され、このバネ部材２０の上に上枠１８が載置される。そして、図７に示すように、上枠１８を構成するコーナー部材５２の上側連結ボルト孔７４と、下枠１４を構成するコーナー部材２４の下側連結ボルト孔４８とに連結ボルト４６が摺動自在に挿通され、この連結ボルト４６の下端部が、座金８４ａおよび８４ｂならびにナット８６ａおよび８６ｂによってコーナー部材２４の補強板（連結プレート）３４に固定される。このとき、コーナー部材５２における補強板（連結プレート）６６の上下両面には、連結ボルト４６の頭部４６ａとナット８６ａとが補強板６６に直接衝突するのを防止するために、緩衝材８８ａおよび８８ｂが配置される。
【００３２】
防振架台１０を使用する際には、下枠１４におけるコーナー部材２４の基礎ボルト孔４４に基礎ボルト４２（図２）が挿通され、この基礎ボルト４２が基礎１２に埋め込まれたボルト（図示省略）にねじ込まれる。そして、上枠１８の上面に振動発生機器１６が載置され、この振動発生機器１６が各固定部材５６のボルト孔６０に挿通された固定ボルト５８（図２）によって上枠１８に固定される。振動発生機器１６の駆動時には、振動発生機器１６の振動が上枠１８に伝達されるが、この振動はバネ部材２０によって吸収されるので、下枠１４への伝達が抑制される。また、連結ボルト４６によって下枠１４と上枠１８とが連結されているので、下枠１４と上枠１８との間での大幅な位置ずれは生じない。
【００３３】
この実施例によれば、コーナー部材２４，５２の第１接続部３８，７０および第２接続部４０，７２が枠構成材２２，５０の直交する２つの面に固着されるので、枠構成材２２，５０どうしの接合部において十分な接合強度を得ることができる。
【００３４】
また、コーナー部材２４，５２においては、補強板３４によって補強された本体部３６，６８に対して第１接続部３８，７０および第２接続部４０，７２が一体的に設けられているので、十分な強度を得ることができる。
【００３５】
なお、上述の実施例では、コーナー部材２４，５２の第１接続部３８，７０および第２接続部４０，７２を枠構成材２２，５０の直交する２つの面に「ネジ」によって固着するようにしているが、これらを「リベット」等によって固着するようにしてもよい。
【図面の簡単な説明】
【００３６】
【図１】防振架台を示す正面図である。
【図２】防振架台を示す部分拡大図である。
【図３】防振架台を示す平面図である。
【図４】防振架台用コーナー部材（下枠用）を示す斜視図である。
【図５】防振架台用コーナー部材（上枠用）を示す斜視図である。
【図６】バネ部材を示す正面図である。
【図７】防振架台の組み立て方法を示す斜視図である。
【符号の説明】
【００３７】
１０…  防振架台
１４…  下枠
１６…  振動発生機器
１８…  上枠
２０…  バネ部材
２２，５０…  枠構成材
２４，５２…  コーナー部材
２８，５４…  孔
３０，６２…  第１閉塞板
３２，６４…  第２閉塞板
３４，６６…  補強板
３６，６８…  本体部
３８，７０…  第１接続部
３８ａ，３８ｂ，４０ａ，４０ｂ…  接続片
３８ｃ，４０ｃ…  ネジ孔
４０，７２…  第２接続部
７０ｃ，７２ｃ…  ネジ孔
４６…  連結ボルト
４８…  下側連結ボルト孔
７４…  上側連結ボルト孔
【図１】
2005127359.tif 000003
【図２】
2005127359.tif 000004
【図３】
2005127359.tif 000005
【図４】
2005127359.tif 000006
【図５】
2005127359.tif 000007
【図６】
2005127359.tif 000008
【図７】
2005127359.tif 000009